(57)【要約】【課題】電源と通信線が同一になって接続されている室外機と室内機からなる空気調和機で、この電源通信線がアース線と誤配線された場合に、通信回路を切り離すことにより、地絡による漏電と通信回路の破壊を避けることにより、誤配線修正後の通信を継続する。【解決手段】通信回路は、室外通信接続手段１４と、室外地絡検知手段１５とからなる室外機１と、室内通信接続手段２４と、室内地絡検知手段１５からなる室内機２からなり、アース線との地絡を室外地絡検知手段１５と室内地絡検知手段２５が検知して、室外通信接続手段１４と室内通信接続手段２５をオフすることにより通信回路の破壊を防止する。【選択図】図１
2010121810.tif 000002
【特許請求の範囲】
【請求項１】
室外通信手段と、室外通信接続手段と、室外地絡保護手段と、通信電源手段とからなる室外機と、室内通信手段と、室内通信接続手段と、室内地絡検知手段とからなる室内機で、室外機と室内機は電源兼通信線にて接続され、室外機は通信電源手段により室内機に通信用の電力を供給し、室内機はこの電力を室内通信手段により受電すると共に、室外地絡検知手段と、室内地絡検知手段は、通信電源手段の電圧とアースの電位を比較して、通信電圧よりアースの電圧が高い場合に室外通信接続手段と室内通信接続手段をオフして通信線を切断することを特徴とする空気調和機の通信制御装置。
【請求項２】
請求項１に記載の空気調和機の室内機において、室内機に異常表示復帰手段を有し、地絡検知手段により地絡を検知した後、地絡異常を表示するとともに、地絡が取り除かれた後、異常表示復帰手段により異常復帰させることにより、地絡異常の解除を行うことを特徴とする空気調和機の通信制御装置。
【請求項３】
請求項１ないし請求項２のいずれかに記載の空気調和機において、室外地絡検知手段と室内地絡検知手段として、アース側の過電流を電流検知器（カレントトランス）にて行うことを特徴とする空気調和機の通信制御装置。
【請求項４】
請求項１から請求項２のいずれかに記載の空気調和機において、室外地絡検知手段と室内地絡検知手段において、各通信手段からの電圧と、アース側の電圧をＡＤ変換器にて電圧を検知し、電圧に応じて通信接続抵抗を切り換えることを特徴とする空気調和機の通信制御装置。
【請求項５】
請求項１から請求項４のいずれかに記載の空気調和機において、室内機と室外機に異常復帰タイマーを設け、地絡異常を検知してから一定時間ごとに通信接続手段をオンさせて地絡異常の解除を確認するとともに、地絡解除されていれば、通信接続手段をオンすることを特徴とする空気調和機の通信制御装置。
【発明の詳細な説明】
【技術分野】
【０００１】
本発明は、室内機と室外機間で、同一接続線にて電源供給と通信を行う空気調和機の通信回路の地絡保護に関するものである。
【背景技術】
【０００２】
従来、この種の回路としては、室内機又は室外機のどちらか一方から電源が供給され、電源の投入と同時に室内機と室外機の通信回路が接続され、互いに通信が行われるものであった。（例えば、特許文献１参照）
図６は、特許文献１参照に記載された従来の通信回路を示すものである。図５に示すように、室外機と室内機の両機器間に交流主回路電流を供給しうる２本の電源線３，４と１本の通信線５を配設すると共に、電源線４，５の電圧からその電圧よりも低い通信用の直流電圧を得る直流電源回路７と、両機器側にそれぞれ直列に設けられた送信用および受信用フォトカプラＰＣ１、ＰＣ２、ＰＣ１´、ＰＣ２´とを備え、室内ユニット１の送信用および受信用フォトカプラＰＣ１、ＰＣ２は、通信線５を介して室外ユニットの送信用および受信用フォトカプラＰＣ１´、ＰＣ２´と直列に接続され、かつ直流電源回路７の出力端に接続され、さらに通信線５には、通信用の直流電源電圧を上回る電圧が印加された時に保護するツェナーダイオードＺＤ、ＺＤ´から構成されている。
【特許文献１】特開２００１−３３０２９７号公報
【発明の開示】
【発明が解決しようとする課題】
【０００３】
しかしながら、上記従来の構成において、室外ユニットと室内ユニットには、必ず機器の安全上からアース端子が設けられている。このアース端子に接続するアース配線は、電源通信線と同じ渡り配線で引き込まれる。このアース線と通信線が誤配線された場合、または、配線途中で通信線がアース線や本体金属部に触れるなどして、通信線５が地絡または半地絡状態になったとき、通信モジュール７，８には交流電源電圧が直接印加されるので、図６の破線→のラインに従って過電流が流れてフォトホトカプラやツェナーダイオードＺＤ、ＺＤ´が破壊されることになる。また、地絡状態のまま放置すると、抵抗２が発熱して、発煙・発火の恐れもある。一般には電源側に漏電ブレーカーが設置されているが、通信線の地絡に対しては動作しないので、従来の通信回路では通信線側の地絡による破壊という課題を有していた。
【０００４】
本発明は、前記従来の発明を解決するものであり、室外機と室内機の通信線が地絡された場合、通信回路が破壊しない通信回路を提供することを目的とする。
【課題を解決するための手段】
【０００５】
前記課題を解決するため、本発明の通信制御装置は、室外機に室外通信接続手段と、室外地絡検知手段とを、室内機には室内通信接続手段と、室内地絡検知手段とを設けたものである。
【０００６】
これにより、通信線が地絡した場合に、通信接続手段により通信を切断して通信回路の破壊を無くすようにする。
【発明の効果】
【０００７】
本発明の通信制御装置は、通信電源の電圧とアース電位とを監視することに、通信線が地絡を発生した場合、通信回路を遮断することにより、通信回路の損傷を避けことができる。
【発明を実施するための最良の形態】
【０００８】
第１の発明は、室外電源端子と、室外通信端子と、室外制御手段と、室外通信手段と、直流電源手段と、室外通信接続手段と、室外地絡検知手段と、アース端子とからなる室外機と、室内電源端子と、室内通信端子と、室内通信手段と、室内通信接続手段と、室内地絡検知手段と、室内側アース端子とからなる室内機からなり、電源投入後、室外制御手段は、電源投入一定時間後に、室外通信接続手段をオンさせる。その後、室内制御手段は、室内通信接続手段をオンして、室外機と室内機の通信を開始させる。通信開始と同時に、直流電源手段の電源も通信線に供給される。次に、室外地絡検知手段と、室内機の室内地絡検知手段は、直流電源手段からの電圧と、アース端子の電圧との電位差を常時比較する。通信線に地絡が発生すると、比較している電位差が無くなりなり、室内地絡検知手段の出力が反転する。反転したことを検知した室外制御手段は、室外通信接続手段をオフにして、再び電位差が有る状態になるまでオフする。以上により地絡による通信回路の保護を行うことにより、地絡状態が続くことにより通信回路の発煙、発火等の損傷発生を防止し、地絡異常による通信回路の破壊を防止することができる。
【０００９】
第２の発明は、請求項１に記載の通信回路において、室内機に異常表示手段と異常復帰手段を設け、地絡が発生した場合、通信接続手段をオフするとともに、異常表示手段により地絡異常であることを表示する。次に、地絡箇所が取り除かれ異常が解除された場合は、異常復帰手段により異常解除信号を室内制御手段に送り、室内地絡検知手段からの信号が解除され、異常なしの状態である場合に通信接続手段をオンし、異常表示手段の表示を解除することにより、室内外の通信を復活させることにより、通信回路の破壊を防止することができる。
【００１０】
第３の発明は、請求項１に記載の通信回路において、室外検知手段がアース線を流れる電流を検知するカレントトランスのような電流検知器からなるものであり、アース線上の電流値が所定以上の場合に、通信線異常と判断し室外通信接続手段をオフすることにより、通信回路の破壊を無くすことができる。
【００１１】
第４の発明は、第１の発明から第３の発明のいずれかの通信回路において、室外機、室内機の各異常検知手段がアナログデジタルＡＤ（アナログデジタル）と、通信回路保護抵抗とからなるものであり、通信線とアース線の電位を検知して、異常と判断しないが、アース電圧が高い場合は、保護抵抗を１にて検知し、さらに高い場合は２に変更し、電位の違いにより抵抗を変える。さらに高い場合は、通信接続回路をオフする。これによりアース電位のことにより通信用抵抗の負担を軽減しながら室内外通信を維持して、通信回路の破壊を防止する。
【００１２】
第５の発明は、第１の発明から第４の発明のいずれかの発明の通信回路において室内機とに室外機に復帰自動タイマーを設けておき、定期的に通信接続手段をオンして、通信が回復したかを検知する。異常が解除されたと判断された場合は、通信タイマーをリセットして、通信接続手段をオンして通信を再開させることにより、通信回路の破壊を防止するとともに通信の自動解除を行うことができる。
【００１３】
以下、本発明の実施の形態について図面を参照しながら説明。
【００１４】
（実施の形態１）
図１は、本発明の実施の形態１における空気調和機の通信制御装置のブロック図である。同図において、図６と同じ構成要素については同じ符号を用い説明を省略する。
【００１５】
図１において、室外制御手段１１と、室外通信手段１２と、室外電源手段１３と、室外
通信接続手段１４と、室外地絡検知手段１５と、通信電源手段１６と、アース接続端子１７と、室外端子台１８とからなる室外機１と、室内制御手段２１と、室内通信送手段２２と、室内電源手段２３と、室内通信接続手段２４と、室内地絡検知手段２５と、室内端子台２８からなる室内機２からなる。
【００１６】
以上のように構成された空気調和機の室外機１は室外通信手段１１は電源投入により室外電源手段１３により電源が供給されると室外通信手段により室内機２に通信を行うとともに、通信電源手段５により室内機２側に通信用の電力を供給する。室内機２の室内制御手段２１は、室内電源手段２３により電源が供給されると、室外機１からの通信電源手段１６からの電力を室内通信手段２２により受電し、この電力をもとに室内外間の通信を行うことにより室外機１と通信を開始し、通信線がアース線と短絡した場合、室外検知手段１５が短絡を検知して、室外制御手段１１は室外通信接続手段１４をオフさせる。同様に室内制御手段２１は、室内地絡検知手段２５により短絡を検知して、室外内制御手段２１は、室内通信接続手段２４をオフさせることにより、室外通信手段１２と室内通信手段２２との通信回路の破壊を避けるものである。
【００１７】
（実施の形態２）
図２は、本発明の実施の形態２における空気調和機の通信制御装置のブロック図である。同図において、図１と同じ構成要素については同じ符号を用い説明を省略する。
【００１８】
図２において、請求項２に記載の空気調和機の室内機２は、異常表示復帰手段２９からなる。
【００１９】
以上のように構成された室内機２の室内制御手段２１は、アース線との短絡を検知した後に、異常表示復帰手段２９により通信異常の表示を行う。次に、アース線との短絡検知を解除したことを検知した室外検知手段は、異常表示復帰手段２９により復帰信号が解除されたとき、室内通信接続手段２４をオンすることにより室外機１との通信を再開する。
【００２０】
（実施の形態３）
図３は、本発明の実施の形態３における空気調和機の通信制御装置のブロック図である。同図において、図２と同じ構成要素については同じ符号を用い説明を省略する。
【００２１】
図３において、請求項３に記載の空気調和機の室外異常検知手段１２、室内異常検知手段２２は、電流検知器（カレントトランス）からなる。
【００２２】
以上のように構成された室内機２０と室外機１０は、異常検知手段からの異常検知状態により、所定以上の電流が流れた場合に地絡異常と判断して、通信異常手段をオフする。
【００２３】
（実施の形態４）
図４は、本発明の実施の形態４における空気調和機の通信制御装置のブロック図である。同図において、実施の形態３で説明した部分については同じ符号を用い説明を省略する。
【００２４】
図４において、請求項１に記載の通信回路は、室外機１と室内機２において、室外地絡検知手段１５と、室内地絡検知手段２５は、ＡＤ変換器からなる。３１は室内通信接続抵抗１、３２は室内保護抵抗２、３３は室外保護抵抗１、３４は室外保護抵抗２からなる。
【００２５】
以上のように構成された空気調和機の室外機１、室内機２の通信回路は、通信線の電位とアース線の電位を、室外地絡検知手段１５と室内地絡検知手段２５でＡＤ変換することにより、検知電圧を検知し、その差分電圧または絶対値電圧により、室外通信抵抗手段３
１と３２、及び室内通信抵抗手段３３と３４を検知電圧により切り換える。また、検知電圧がさらに大きくなると通信接続手段をオフする。
【００２６】
（実施の形態５）
図５は、本発明の実施の形態５における空気調和機の通信制御装置のブロック図である。同図において、実施の形態４で説明した部分については同じ符号を用い説明を省略する。
【００２７】
図５において、請求項１から請求項４に記載の通信回路は、室内機に室外からの通信応答タイマー２９からなる。
【００２８】
以上のように構成された空気調和機の室外機１と室内機２の通信回路は、室外地絡検知手段１５、室内地絡検知手段２５によりアース線との地絡を検知したときに室外通信接続手段１４、室内通信接続手段２４をオフする。
【産業上の利用可能性】
【００２９】
以上のように、本発明にかかる空気調和機の通信回路は、室外機と室内機の通信回路がアース線との誤配線や接触により通信回路が破壊されることを防ぐことができる。
【図面の簡単な説明】
【００３０】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】本発明の実施の形態５における空気調和機の構成ブロック図
【図６】従来の空気調和機における構成ブロック図
【符号の説明】
【００３１】
１  室外機
１１  室外制御手段
１２  室外通信手段
１３  室外電源手段
１４  室外通信接続手段
１５  室外地絡検知手段
１６  通信電源手段
１７  アース接続端子
１８  室外端子台
２  室内機
２１  室内制御手段
２２  室内制御手段
２３  室内電源手段
２４  室内通信接続手段
２５  室内地絡検知手段
２６  異常表示復帰手段
２７  室内タイマー手段
２８  室内端子台
３１  室外保護抵抗１
３２  室外保護抵抗２
３３  室内保護抵抗１
３４  室内保護抵抗２
【図１】
2010121810.tif 000003
【図２】
2010121810.tif 000004
【図３】
2010121810.tif 000005
【図４】
2010121810.tif 000006
【図５】
2010121810.tif 000007
【図６】
2010121810.tif 000008